(57)【要約】【課題】開封を検知できる包装体の製造に使用できる新たな包装材の提供。【解決手段】一態様において、内容物を封入するために用いるフィルム又はシートであって、該フィルム又はシートは、フィルム又はシート部１とセンサプローブ２とを備え、該センサプローブ２は、該フィルム又はシートの物理的変化の検知を可能とするセンサプローブであることを特徴とするフィルム又はシート。【選択図】図１
2016010493.tif 000002
【特許請求の範囲】
【請求項１】
内容物を封入するために用いるフィルム又はシートであって、
該フィルム又はシートは、センサプローブを備え、
該センサプローブは、該フィルム又はシートの物理的変化の検知を可能とするセンサプローブであることを特徴とするフィルム又はシート。
【請求項２】
前記センサプローブは、デバイス部が接続可能であり、該デバイス部はセンサプローブと接続することで該フィルム又はシートの物理的変化の検知を可能とする、請求項１記載のフィルム又はシート。
【請求項３】
薬剤包装に用いられるための、請求項１又は２に記載のフィルム又はシート。
【請求項４】
ＰＴＰ包装に用いられるための、請求項１又は２に記載のフィルム又はシート。
【請求項５】
一若しくは一組又は複数若しくは複数の組の薬剤を一又は複数の区画に封入するための、請求項１から４のいずれかに記載のフィルム又はシート。
【請求項６】
前記フィルム又はシートは、樹脂製のフィルム又はシート部と前記センサプローブとを含む、請求項１から５のいずれかに記載のフィルム又はシート。
【請求項７】
前記樹脂の材料が、ポリエチレン系樹脂、ポリプロピレン系樹脂、環状ポリオレフィン系樹脂、フッ素系樹脂、ポリスチレン系樹脂、アクリロニトリル− スチレン共重合体（ＡＳ）樹脂、アクリロニトリル−ブタジエン−スチレン共重合体（ＡＢＳ）樹脂、ポリ塩化ビニル系樹脂、ポリ（メタ）アクリル系樹脂、ポリカーボネート系樹脂、ポリエチレンテレフタレート樹脂、ポリエチレンナフタレート樹脂等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂からなる群から選択される材料を含む、請求項１から６のいずれかに記載のフィルム又はシート。
【請求項８】
前記フィルム又はシートが、長尺物である、請求項１から７のいずれかに記載のフィルム又はシート。
【請求項９】
前記センサプローブは、前記フィルム又はシートの長手方向に連続して形成されている、請求項１から８のいずれかに記載のフィルム又はシート。
【請求項１０】
前記センサプローブが、前記フィルム又はシートに対する外部刺激による変形により電気信号を生成する、請求項１から９のいずれかに記載のフィルム又はシート。
【請求項１１】
前記センサプローブが、回路パターンを含み、該回路パターンは、前記フィルム又はシートで構成された封入区画の状態変化により電気特性が変化するものである、請求項１から９のいずれかに記載のフィルム又はシート。
【請求項１２】
前記回路パターンが導電配線で構成されており、前記電気特性の変化が該導電配線の通電状態の変化である、請求項１１記載のフィルム又はシート。
【請求項１３】
前記センサプローブは、圧力センサと該圧力センサが生成した信号を伝達可能な配線を含む、請求項１から９のいずれかに記載のフィルム又はシート。
【請求項１４】
前記センサプローブは、静電容量コンデンサと該静電容量コンデンサが生成した信号を伝達可能な配線を含む、請求項１から９のいずれかに記載のフィルム又はシート。
【請求項１５】
前記デバイス部は、支持部を介して、前記フィルム又はシートで構成された包装体の前記センサプローブと接続可能である、請求項２から１４のいずれかに記載のフィルム又はシート。
【請求項１６】
前記デバイス部は、さらにメモリ部、送信部、受信部、表示部及び／又は電源部と接続可能である、請求項１５記載のフィルム又はシート。
【請求項１７】
請求項１から１６のいずれかに記載のフィルム又はシートを用いた包装体であって、
一若しくは一組又は複数若しくは複数の組の内容物を封入する一又は複数の区画を含む包装材と、
前記区画の開封の有無を検知可能なセンサプローブと、
前記センサプローブと接続されたデバイス部を含むことを特徴とする包装体。
【請求項１８】
前記複数の区画が一方向に連続して結合し、
前記センサプローブは、前記複数の区画に配置されている、請求項１７記載の包装体。
【発明の詳細な説明】
【技術分野】
【０００１】
本開示は、包装材に関する。
【背景技術】
【０００２】
薬などの開封履歴を管理する方法として、回路破断により開封を検知できる、ブリスター包装体に貼り付けるラベルが提案されている（特許文献１）。また、薬収納部に破断部とＲＦＩＤタグ回路を有する薬剤包装材が提案されている（特許文献２）。
【先行技術文献】
【特許文献】
【０００３】
【特許文献１】特開２０１３−３１６３８
【特許文献２】特開２０１０−３５７８９
【発明の概要】
【発明が解決しようとする課題】
【０００４】
近年、各種製品において、包装体からの製品取り出しを検知することについて、ニーズが高まっている。例えば、薬局から処方された薬剤は、最適な治療効果を得るために、患者が所定の時間に所定の量を服用することが必要である。包装体から薬剤が取り出されたことを検知することで、服薬履歴を管理できる。すなわち、例えば、患者にとっては、薬の飲み忘れを確実に防止でき、確実な薬効が得られることが可能になり、また、薬を処方する側にとっては、薬効の判断、今後の治療方針、服薬指導、在宅医療などに役立てることができる。また、製薬会社が行う治験の場合においても、治験を行う被験者の服薬管理を確実に行うことが可能となり、確実な薬効データの取得ができることから、新薬の飛躍的な開発促進につながる。
【０００５】
従来の開封を検知する包装体においては、個々の包装材の大きさに合わせたラベルの製造や製品の収納部分に合わせた複雑な回路の形成が必要であった。そこで、本開示は、開封を検知できる包装体の製造に使用できる新たな包装材を提供する。
【課題を解決するための手段】
【０００６】
本開示は、一又は複数の実施形態において、内容物を封入するために用いるフィルム又はシートであって、該フィルム又はシートは、センサプローブを備え、該センサプローブは、該フィルム又はシートの物理的変化の検知を可能とするセンサプローブであることを特徴とするフィルム又はシートに関する。
【０００７】
本開示は、その他の一又は複数の実施形態において、本開示のフィルム又はシートを用いた包装体であって、一若しくは一組又は複数若しくは複数の組の内容物を封入する一又は複数の区画を含む包装材と、前記区画の開封の有無を検知可能なセンサプローブと、前記センサプローブと接続されたデバイス部を含むことを特徴とする包装体に関する。
【発明の効果】
【０００８】
一又は複数の実施形態において、本開示のフィルム又はシートによれば、予めセンサプローブが備えられているから、開封センサ及び／又はモニタ等を備えるデバイス部を含む包装体の製造を簡便化しうる。一又は複数の実施形態において、本開示のフィルム又はシートによれば、開封センサ及び／又はモニタ等を備えるデバイス部を含むＰＴＰ包装などの薬剤個別包装、あるいは、開封センサ及び／又はモニタ等を備えるデバイス部を含む一包化包装の包装体の製造を簡便化しうる。
【図面の簡単な説明】
【０００９】
【図１】図１Ａ〜図１Ｃは、フィルム又はシートの一実施形態の短手方向断面模式図である。図１Ｄは、フィルム又はシートの一実施形態の概略図である。
【図２】図２Ａは、フィルム又はシートの一実施形態の短手方向断面模式図である。図２Ｂは、フィルム又はシートの一実施形態の概略図である。
【図３】図３Ａは、フィルム又はシートの一実施形態の短手方向断面模式図である。図３Ｂは、フィルム又はシートの一実施形態の概略図である。
【図４】図４Ａは、フィルム又はシートの一実施形態の短手方向断面模式図である。図４Ｂは、フィルム又はシートの一実施形態の概略図である。
【図５】図５は、フィルム又はシートの一実施形態の概略図である。
【図６】図６Ａ及びＢは、包装体の作製方法の一実施形態を説明する概略図である。
【図７】図７は、包装体の一実施形態の概略図である。
【図８】図８は、包装体の一実施形態の概略図である。
【図９】図９は、包装体の一実施形態の概略図である。
【発明を実施するための形態】
【００１０】
本開示は、一態様において、内容物を封入するために用いるフィルム又はシートであって、該フィルム又はシートは、センサプローブを備え、該センサプローブは、該フィルム又はシートの物理的変化の検知を可能とするセンサプローブであることを特徴とするフィルム又はシート（以下、「本開示に係るフィルム又はシート」ともいう。）に関する。
【００１１】
本開示において「フィルム又はシート」は、限定されない一又は複数の実施形態において膜状のものをいう。本開示において「フィルム又はシート」は、限定されない一又は複数の実施形態において、ロール状であってもよく、板状であってもよい。板状である場合、限定されない一又は複数の実施形態において、矩形、四角形、多角形、円形、楕円形などが挙げられる。
【００１２】
本開示において「内容物」は、限定されない一又は複数の実施形態において、前記内容物の包装の開封の有無の管理やモニタリングが必要なものがあげられ、限定されない一又は複数の実施形態において、薬剤（医薬品、健康食品）、食品などが挙げられる。
【００１３】
本開示に係るフィルム又はシートは、一又は複数の実施形態において、前記内容物を封入するために用いられる。前記封入とは、一又は複数の実施形態において、本開示に係るフィルム又はシート単独で、或いは、本開示に係るフィルム又はシートと他のフィルム又はシートとを組み合わせて内容物を閉じ込めることをいう。したがって、本開示に係るフィルム又はシートは、一又は複数の実施形態において、薬剤包装に用いられるためのフィルム又はシートである。前記薬剤包装としては、限定されない一又は複数の実施形態において、プレススルーパック（ＰＴＰ）包装が挙げられ、或いは、一包化包装が挙げられる。本開示おいて、一包化包装は、限定されない一又は複数の実施形態において、一若しくは一組又は複数若しくは複数の組の薬剤を一又は複数の区画に封入することをいう。
【００１４】
本開示に係るフィルム又はシートは、一又は複数の実施形態において、フィルム又はシート部とセンサプローブとを含む。本開示に係るフィルム又はシートは、一又は複数の実施形態において、フィルム又はシート部の一部にセンサプローブが配置される構成である。
【００１５】
前記フィルム又はシート部は、一又は複数の実施形態において、樹脂製である。前記樹脂の材料としては、ポリエチレン系樹脂、ポリプロピレン系樹脂、環状ポリオレフィン系樹脂、フッ素系樹脂、ポリスチレン系樹脂、アクリロニトリル−スチレン共重合体（ＡＳ）樹脂、アクリロニトリル−ブタジエン−スチレン共重合体（ＡＢＳ）樹脂、ポリ塩化ビニル系樹脂、ポリ（メタ）アクリル系樹脂、ポリカーボネート系樹脂、ポリエチレンテレフタレート樹脂、ポリエチレンナフタレート樹脂等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂などの各種樹脂が用いられる。これらの樹脂は、単独で用いられてもよいし、複数の種類を共重合させて用いられてもよいし、複数の種類をブレンドさせて用いられてもよいし、多層化させて用いられてもよい。
【００１６】
前記フィルム又はシート部は、一又は複数の実施形態において、長尺物であってよく、その場合、本開示に係るフィルム又はシートも長尺物（例えば、ロール状や長板状）になり得る。
【００１７】
本開示において「センサプローブ」は、一又は複数の実施形態において、本開示に係るフィルム又はシートの物理的変化の検知を可能とするセンサプローブである。本開示に係るフィルム又はシートの物理的変化の検知可能とは、一又は複数の実施形態において、本開示に係るフィルム又はシート用いて作製された封入構造の開封の有無を検知可能とするセンサプローブをいう。
【００１８】
本開示における「センサプローブ」は、一又は複数の実施形態において、デバイス部が接続可能である。本開示におけるデバイス部はセンサプローブと接続し、センサプローブからのシグナルを受け、本開示に係るフィルム又はシートの物理的変化を検知できるものをいう。
【００１９】
本開示に係るフィルム又はシートの限定されない実施形態を、図を使って説明する。図１Ａ、図１Ｂ及び図１Ｃは、それぞれ、図１Ａ〜図１Ｃは、本開示に係るフィルム又はシートの一実施形態の短手方向断面模式図である。これらの図において、本開示に係るフィルム又はシートは、フィルム又はシート部１とセンサプローブ２とから構成されている。図１Ｄは、図１Ａ〜図１Ｃの実施形態に係るフィルム又はシートがロール状である場合の概略図である。
【００２０】
図１Ｄに示すように、センサプローブは、一又は複数の実施形態において、フィルム又はシート部の長手方向に連続して形成される。長手方向に連続して形成されるセンサプローブにより、一又は複数の実施形態において、長手方向に複数連続して形成された封入区画にセンサプローブを配置でき、これにより、複数の封入区画における開封の有無を、センサプローブに接続した１つのデバイス部で検出することができる（後述、図８参照）。
【００２１】
図１Ａは、フィルム又はシート部１の表面にセンサプローブ２が形成されている実施形態を示す。センサプローブ２は、一又は複数の実施形態において、積層体であってもよい（図１Ｂ）。例えば、導電体層、誘電体層、及び導電体層がこの順に積層されていてもよい。センサプローブ２は、一又は複数の実施形態において、積層体であるフィルム又はシート部１の内部に配置されてもよい（図１Ｃ）。
【００２２】
センサプローブ２は、一又は複数の実施形態において、センサプローブの特性に応じて図２Ａ及び図２Ｂに示すように、フィルム又はシート部１の両面に形成してもよい。また、センサプローブ２は、一又は複数の実施形態において、短手方向に形成する封入区画数に応じ、長手方向に配置するセンサプローブ数を２又は３又は４又はそれ以上にしてもよい。図３Ａ及び図３Ｂは、長手方向に配置するセンサプローブ２の数が２つである場合の実施形態を示す。また、センサプローブ２は、一又は複数の実施形態において、包装体の形成方法等に応じ、長手方向に配置する複数のセンサプローブ２の一部をフィルム又はシート部１の一方の主面に形成し、残りのセンサプローブ２をフィルム又はシート部１の他方の主面に形成してもよい（図４Ａ及び図４Ｂ）。また、本開示に係るフィルム又はシートは、ロール状ではなく、板状（長い板状）であってもよい（図５）。図２〜図４におけるフィルム又はシート部１及びセンサプローブ２は、図１Ｂ及びＣで例示した構造であってよい。また、図５におけるフィルム又はシート部１及びセンサプローブ２は、図１Ａ〜図１Ｃで示した構造であってもよい。
【００２３】
本開示に係るフィルム又はシートは、一又は複数の実施形態において、内容物の包装を容易にする観点から、図６Ａに示すように、別のフィルム又はシート３との組合せの形態であってもよい。前記別のフィルム又はシート３は、一又は複数の実施形態において、本開示に係るフィルム又はシートであってもよく、センサプローブ２を備えないフィルム又はシートであってよい。また、前記別のフィルム又はシート３は、一又は複数の実施形態において、内容物を配置する凹部又はポケットが形成若しくは成形されたシートであってもよい（図９参照）。該シートとしては、例えば、ＰＴＰ包装やブリスターパックの底材が挙げられる。また、本開示に係るフィルム又はシート１及び２は、一又は複数の実施形態において、内容物の包装を容易にする観点から、長手方向に平行な軸で折りたたまれた形態であってよく、又は、長手方向に平行な軸で二つ折りされた形態であってよい。
【００２４】
本開示において、センサプローブは、本開示に係るフィルム又はシートの物理的変化の検知を可能とするものである。本開示におけるセンサプローブは、限定されない一又は複数の実施形態において、本開示に係るフィルム又はシートに対する外部刺激による変形により電気信号を生成する。
【００２５】
本開示におけるセンサプローブは、一又は複数の実施形態において、回路パターンを含み、前記回路パターンは、本開示に係るフィルム又はシートで構成された封入区画の状態変化により電気特性が変化するものである。本実施形態において、前記回路パターンが導電配線で構成されており、前記電気特性の変化が該導電配線の通電状態の変化である。
【００２６】
本開示におけるセンサプローブは、一又は複数の実施形態において、圧力センサと該圧力センサが生成した信号を伝達可能な配線を含む。
【００２７】
前記センサプローブは、静電容量コンデンサと該静電容量コンデンサが生成した信号を伝達可能な配線を含む。
【００２８】
本開示は、その他の態様において、本開示に係るフィルム又はシートを用いた包装体（以下、「本開示に係る包装体」ともいう。）に関する。本開示に係る包装体は、一又は複数の実施形態において、本開示に係るフィルム又はシートを用いた包装体であって、一若しくは一組又は複数若しくは複数の組の内容物を封入する一又は複数の区画を含む包装材と、前記区画の開封の有無を検知可能なセンサプローブとを含む。
【００２９】
本開示に係る包装体の包装形態は、限定されない一又は複数の実施形態において、前記薬剤包装である。前記薬剤包装としては、限定されない一又は複数の実施形態において、プレススルーパック（ＰＴＰ）包装が挙げられ、或いは、一包化包装が挙げられる。
【００３０】
一包化包装の一実施形態を図７に示す。本実施形態に係る包装体１０は、本開示に係るフィルム又はシートから形成された袋状のフィルム又はシート部１とセンサプローブ２とから構成される。包装体１０は、密着部１１により複数の封入区画１２が形成され、切り込み１３が形成されている。封入区画１２には、前述の内容物が封入されうる。センサプローブ２は、複数の封入区画１２全ての区画においてその一部を覆うように配置されている。
【００３１】
封入区画１２は、一又は複数の実施形態において、密着部１１により密封されてもよい。また、包装体１０の長手辺の一方がジッパー構造になっており、封入区画の開封が容易にできるように構成されていてもよい。
【００３２】
本開示に係る包装体は、その一又は複数の実施形態において、本開示に係るフィルム又はシートを用いた包装体であって、一若しくは一組又は複数若しくは複数の組の内容物を封入する一又は複数の区画を含む包装材と、前記区画の開封の有無を検知可能なセンサプローブと、前記センサプローブと接続されたデバイス部とを含む。本実施形態の一例を図８に示す。図８の包装体２０は、包装部３０とデバイス部４０とから構成されている。包装部３０は図７の包装体１０と同様である。すなわち、包装部３０は、本開示に係るフィルム又はシートから形成された袋状のフィルム又はシート部１とセンサプローブ２とから構成され、包装部３０は、密着部１１により複数の封入区画１２が形成され、切り込み１３が形成されている。封入区画１２には、前述の内容物が封入されうる。センサプローブ２は、複数の封入区画１２全ての区画においてその一部を覆うように配置されている。デバイス部４０は、支持部２１を介して包装部３０と接続している。デバイス部４０は、制御部２２を備え、制御部２２は、センサプローブ２と接続しており、これにより、封入区画１２の開封の有無を検出できる。デバイス部４０は、さらに、にメモリ部、送信部、受信部、表示部２３及び／又は電源部を有してもよい。
【００３３】
本開示に係る包装体の、その他の一又は複数の実施形態を図９に示す。図９の包装体２０は、包装部３０とデバイス部４０とから構成されている。包装部３０は図６Ａで示したように、本開示に係るフィルム又はシート１とその他のシート４とで構成される。前記その他のシート４は、ポケット（凹部）５が成形された底材である。ポケット５には内容物が配置されうる。本開示に係るフィルム又はシート１と前記シート４とはポケット５以外の部分が密着していてもよい。本実施形態において、本開示に係るフィルム又はシート１におけるセンサプローブ２は配線であって、各ポケット５の上部の一部を覆う（通過する）ように配置されている。デバイス部４０は、包装部３０と接続している。デバイス部４０は、一又は複数の実施形態において、上述のように、制御部、メモリ部、送信部、受信部、表示部２３及び／又は電源部を有してもよい。
【００３４】
本開示は、さらに以下の一又は複数の実施形態に関する。
＜１＞  内容物を封入するために用いるフィルム又はシートであって、
該フィルム又はシートは、センサプローブを備え、
該センサプローブは、該フィルム又はシートの物理的変化の検知を可能とするセンサプローブであることを特徴とするフィルム又はシート。
＜２＞  前記センサプローブは、デバイス部が接続可能であり、該デバイス部はセンサプローブと接続することで該フィルム又はシートの物理的変化の検知を可能とする、＜１＞記載のフィルム又はシート。
＜３＞  薬剤包装に用いられるための、＜１＞又は＜２＞に記載のフィルム又はシート。
＜４＞  ＰＴＰ包装に用いられるための、＜１＞又は＜２＞に記載のフィルム又はシート。
＜５＞  一若しくは一組又は複数若しくは複数の組の薬剤を一又は複数の区画に封入するための、＜１＞から＜４＞のいずれかに記載のフィルム又はシート。
＜６＞  前記フィルム又はシートは、樹脂製のフィルム又はシート部と前記センサプローブとを含む、＜１＞から＜５＞のいずれかに記載のフィルム又はシート。
＜７＞  前記樹脂の材料が、ポリエチレン系樹脂、ポリプロピレン系樹脂、環状ポリオレフィン系樹脂、フッ素系樹脂、ポリスチレン系樹脂、アクリロニトリル−スチレン共重合体（ＡＳ）樹脂、アクリロニトリル−ブタジエン−スチレン共重合体（ＡＢＳ）樹脂、ポリ塩化ビニル系樹脂、ポリ（メタ）アクリル系樹脂、ポリカーボネート系樹脂、ポリエチレンテレフタレート樹脂、ポリエチレンナフタレート樹脂等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂からなる群から選択される材料を含む、＜１＞から＜６＞のいずれかに記載のフィルム又はシート。
＜８＞  前記フィルム又はシートが、長尺物である、＜１＞から＜７＞のいずれかに記載のフィルム又はシート。
＜９＞  前記センサプローブは、前記フィルム又はシートの長手方向に連続して形成されている、＜１＞から＜８＞のいずれかに記載のフィルム又はシート。
＜１０＞  前記センサプローブが、前記フィルム又はシートに対する外部刺激による変形により電気信号を生成する、＜１＞から＜９＞のいずれかに記載のフィルム又はシート。
＜１１＞  前記センサプローブが、回路パターンを含み、該回路パターンは、前記フィルム又はシートで構成された封入区画の状態変化により電気特性が変化するものである、＜１＞から＜９＞のいずれかに記載のフィルム又はシート。
＜１２＞  前記回路パターンが導電配線で構成されており、前記電気特性の変化が該導電配線の通電状態の変化である、＜１１＞記載のフィルム又はシート。
＜１３＞  前記センサプローブは、圧力センサと該圧力センサが生成した信号を伝達可能な配線を含む、＜１＞から＜９＞のいずれかに記載のフィルム又はシート。
＜１４＞  前記センサプローブは、静電容量コンデンサと該静電容量コンデンサが生成した信号を伝達可能な配線を含む、＜１＞から＜９＞のいずれかに記載のフィルム又はシート。
＜１５＞  前記デバイス部は、支持部を介して、前記フィルム又はシートで構成された包装体の前記センサプローブと接続可能である、＜２＞から＜１４＞のいずれかに記載のフィルム又はシート。
＜１６＞  前記デバイス部は、さらにメモリ部、送信部、受信部、表示部及び／又は電源部と接続可能である、＜１５＞記載のフィルム又はシート。
＜１７＞  ＜１＞から＜１６＞のいずれかに記載のフィルム又はシートを用いた包装体であって、一若しくは一組又は複数若しくは複数の組の内容物を封入する一又は複数の区画を含む包装材と、前記区画の開封の有無を検知可能なセンサプローブと、前記センサプローブと接続されたデバイス部を含むことを特徴とする包装体。
＜１８＞  前記複数の区画が一方向に連続して結合し、前記センサプローブは、前記複数の区画に配置されている、＜１７＞記載の包装体。
【符号の説明】
【００３５】
１  フィルム又はシート部
２  センサプローブ
３  フィルム又はシート
４  底材
５  ポケット
１０  包装体
１１  密着部
１２  封入区画
１３  切り込み
２０  包装体
２１  支持部
２２  制御部
２３  表示部
３０  包装部
４０  デバイス部
【図１】
2016010493.tif 000003
【図２】
2016010493.tif 000004
【図３】
2016010493.tif 000005
【図４】
2016010493.tif 000006
【図５】
2016010493.tif 000007
【図６】
2016010493.tif 000008
【図７】
2016010493.tif 000009
【図８】
2016010493.tif 000010
【図９】
2016010493.tif 000011